【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
ガスタービンシステムの１つまたは複数のブレード内の腐食を検出するためのプローブ装置であって、
（ａ）ガスタービンブレードのフィレット区間の表面幾何形状と一致する形状を有し、点食を検出するために前記フィレット区間の軸方向長さに沿って移動するように動作可能な検出ヘッドと、
（ｂ）前記検出ヘッド内に位置し、前記検出ヘッドと接触する前記フィレットの領域内で第１の磁場を誘導するように動作可能な少なくとも１つのコイル装置と、
（ｃ）前記第１の磁場にさらされた前記フィレットの前記領域から受け取られた第２の磁場に対応する信号を検出するように動作可能な受信機装置であって、前記第２の磁場が、前記第１の磁場によって前記領域内に誘導された電流によって生成される、受信機装置と、
（ｄ）前記検出信号を処理して、前記検出信号の対応する振幅を前記領域内の点食の存在と相関させるように動作可能な信号処理装置と
を備え、
前記ガスタービンシステムのケーシングを分解することなしに点食の存在が判定され、
前記受信機が、
（イ）前記第２の磁場からそれぞれ第１の受信信号および第２の受信信号を生成するように動作可能な第１のコイル装置および第２のコイル装置と、
（ロ）それぞれ前記第１のコイル装置および前記第２のコイル装置に結合され、それぞれ前記第１の受信信号および前記第２の受信信号をろ波するように動作可能である第１のバンドパスフィルタ装置および第２のバンドパスフィルタ装置と、
（ハ）前記第１のバンドパスフィルタ装置および前記第２のバンドパスフィルタ装置に結合され、前記ろ波された第１の受信信号および前記ろ波された第２の受信信号を差動増幅し前記検出信号を生成するように動作可能である差動増幅器装置と
を備える、
プローブ装置。
【請求項２】
前記検出ヘッドが、前記フィレットの曲率半径に対応する半径を含む実質的に円筒形の形状を含む、請求項１に記載の装置。
【請求項３】
前記検出ヘッドが、前記フィレットに対応する曲率半径未満である、または実質的に等しい半径を含む実質的に円筒形の形状を含む、請求項１に記載の装置。
【請求項４】
前記ガスタービンブレードが、複数のインレットガイドベーンの後ろに位置する複数の第１段Ｒ１ロータブレードの１つのＲ１ロータブレードを含む、請求項１に記載の装置。
【請求項５】
ガスタービンシステムの１つまたは複数のブレード内の腐食を検出するためのプローブ装置であって、
（ａ）ガスタービンブレードのフィレット区間の表面幾何形状と一致する形状を有し、点食を検出するために前記フィレット区間の軸方向長さに沿って移動するように動作可能な検出ヘッドと、
（ｂ）前記検出ヘッド内に位置し、前記検出ヘッドと接触する前記フィレットの領域内で第１の磁場を誘導するように動作可能な少なくとも１つのコイル装置と、
（ｃ）前記第１の磁場にさらされた前記フィレットの前記領域から受け取られた第２の磁場に対応する信号を検出するように動作可能な受信機装置であって、前記第２の磁場が、前記第１の磁場によって前記領域内に誘導された電流によって生成される、受信機装置と、
（ｄ）前記検出信号を処理して、前記検出信号の対応する振幅を前記領域内の点食の存在と相関させるように動作可能な信号処理装置と
を備え、
前記ガスタービンシステムのケーシングを分解することなしに点食の存在が判定され、
前記ガスタービンブレードが、複数のインレットガイドの後ろに位置する複数の第１段Ｒ１ロータブレードの１つのＲ１ロータブレードを含み、
さらに、前記検出ヘッドに結合されたハンドル区間をさらに備え、前記ハンドル区間が可撓性部分を含み、前記可撓性部分は、前記複数のインレットガイドベーン間で前記可撓性部分および検出ヘッドを操作することに基づいて、前記検出ヘッドと複数の第１段Ｒ１ロータブレードの１つのＲ１ロータブレードの前記フィレット区間との間の接触を可能にすることによって、前記検出ヘッドを測定位置に移動するように動作可能である、
プローブ装置。
【請求項６】
前記ハンドル区間に結合されたビデオカメラをさらに含み、前記ビデオカメラが、前記検出ヘッドに近接して位置し、オペレータが前記検出ヘッドを前記測定位置に移動するのを助けるように動作可能である、請求項５に記載の装置。
【請求項７】
前記誘導された電流が渦電流を含む、請求項１に記載の装置。
【請求項８】
前記少なくとも１つのコイル装置に印加される駆動信号を生成するように動作可能なドライバ装置をさらに備え、前記ドライバ装置が、前記駆動信号の少なくとも１つの特性を操作して、指定された閾値を超える前記検出信号に関連付けられた信号対雑音比を生成する、請求項１に記載の装置。
【請求項９】
前記少なくとも１つの特性が駆動信号振幅を含む、請求項８に記載の装置。
【請求項１０】
前記少なくとも１つの特性が駆動信号周波数を含む、請求項８に記載の装置。
【請求項１１】
前記少なくとも１つの特性が、駆動信号振幅と駆動信号周波数の組合せを含む、請求項８に記載の装置。
【請求項１２】
ガスタービンシステムの１つまたは複数のブレード内の腐食を検出するためのプローブ装置であって、
（ａ）ガスタービンブレードのフィレット区間の表面幾何形状と一致する形状を有し、点食を検出するために前記フィレット区間の軸方向長さに沿って移動するように動作可能な検出ヘッドと、
（ｂ）前記検出ヘッド内に位置し、前記検出ヘッドと接触する前記フィレットの領域内で第１の磁場を誘導するように動作可能な少なくとも１つのコイル装置と、
（ｃ）前記第１の磁場にさらされた前記フィレットの前記領域から受け取られた第２の磁場に対応する信号を検出するように動作可能な受信機装置であって、前記第２の磁場が、前記第１の磁場によって前記領域内に誘導された電流によって生成される、受信機装置と、
（ｄ）前記検出信号を処理して、前記検出信号の対応する振幅を前記領域内の点食の存在と相関させるように動作可能な信号処理装置と
を備え、
前記ガスタービンシステムのケーシングを分解することなしに点食の存在が判定され、
前記信号処理装置がデジタル信号処理（ＤＳＰ）装置を備え、前記ＤＳＰが、
（イ）検出信号振幅をデジタル化するように動作可能なアナログ−デジタル変換器と
（ロ）前記検出信号に対応する振幅、および検出された腐食孔に対応する他の記憶された検出信号振幅に基づいて、前記検出信号に対応する振幅を前記他の記憶された検出信号振幅と共に記憶するように動作可能な第１の記憶領域と、
（ハ）ガスタービンブレードのサンプルフィレット表面上に作成された、複数の予め生成された点食領域に関連付けられた参照データを記憶するように動作可能な第２の記憶領域と、
（ニ）前記フィレット区間内の点食の存在を判定するために、前記検出信号に対応する振幅を、前記記憶された参照データと比較するように動作可能なプロセッサセクションと
を備える、
プローブ装置。
【請求項１３】
前記第１の記憶領域が、前記フィレット区間内の点食の判定間の時間間隔を計算するために、検出信号に対応する前記振幅と前記他の記憶された検出信号振幅とに追加されるタイムスタンプ情報を含む、請求項１２に記載の装置。
【請求項１４】
前記第１の記憶領域が、前記フィレット区間内の点食の判定を評価するために、前記記憶された検出信号振幅と前記他の記憶された検出信号振幅に追加される駆動信号情報を含む、請求項１２に記載の装置。
【請求項１５】
ガスタービンシステムの１つまたは複数のブレード内の腐食を検出するためのプローブ装置であって、
（ａ）ガスタービンブレードのフィレット区間の表面幾何形状と一致する形状を有し、点食を検出するために前記フィレット区間に沿って移動するように動作可能な検出ヘッドと、
（ｂ）前記検出ヘッド内に位置し、前記検出ヘッドと接触する前記フィレットの領域内で第１の磁場を誘導するように動作可能な少なくとも１つのトランスデューサ装置と、
（ｃ）前記第１の磁場にさらされた前記フィレットの前記領域から受け取られた第２の磁場に対応する信号を検出するように動作可能な受信機装置であって、前記第２の磁場が、前記第１の磁場によって前記領域内に誘導された電流によって生成される、受信機装置と、
（ｄ）前記検出信号を処理して、前記検出信号の対応する振幅を前記領域内の点食の存在と相関させるように動作可能な信号処理装置とを備え、
前記ガスタービンシステムのケーシングを分解することなしに点食の存在が判定され、
前記受信機が、
（イ）前記第２の磁場からそれぞれ第１の受信信号および第２の受信信号を生成するように動作可能な第１のコイル装置および第２のコイル装置と、
（ロ）それぞれ前記第１のコイル装置および前記第２のコイル装置に結合され、それぞれ前記第１の受信信号および前記第２の受信信号をろ波するように動作可能である第１のバンドパスフィルタ装置および第２のバンドパスフィルタ装置と、
（ハ）前記第１のバンドパスフィルタ装置および前記第２のバンドパスフィルタ装置に結合され、前記ろ波された第１の受信信号および前記ろ波された第２の受信信号を差動増幅し前記検出信号を生成するように動作可能である差動増幅器装置と
を備える、
プローブ装置。
【請求項１６】
ガスタービンシステムの１つまたは複数のブレード内の腐食を検出するためのプローブ装置であって、
（ａ）ガスタービンブレードのフィレット区間の表面幾何形状と一致する形状を有し、点食を検出するために前記フィレット区間に沿って移動するように動作可能な検出ヘッドと、
（ｂ）前記検出ヘッド内に位置し、前記検出ヘッドと接触する前記フィレットの領域内で第１の磁場を誘導し、かつ前記第１の磁場にさらされた前記フィレットの領域から受け取られた第２の磁場に対応する信号を検出するように動作可能なトランシーバ装置であって、前記第２の磁場が、前記第１の磁場によって前記領域内に誘導された電流によって生成される、トランシーバ装置と、
（ｃ）前記検出信号を処理して、前記検出信号の対応する振幅を前記領域内の点食の存在と相関させるように動作可能な信号処理装置とを備え、
前記ガスタービンシステムのケーシングを分解することなしに点食の存在が判定され、
前記受信機が、
（イ）第２のコイル装置と、
（ロ）第３のコイル装置と、
（ハ）前記第２のコイル装置および前記第３のコイル装置に結合され、前記第２のコイル装置および前記第３のコイル装置から受け取られたそれぞれ第２の信号および第３の信号を差動増幅するように動作可能な差動増幅であって、前記検出信号を生成する差動増幅器と
を備える、
プローブ装置。
【請求項１７】
前記トランシーバ装置が、
（ａ）第１の磁場を生成するように動作可能な送信機と、
（ｂ）第２の磁場を受け取り、前記検出信号振幅を生成するように動作可能な受信機と
を備える、請求項１６に記載の装置。
【請求項１８】
前記送信機が、
（ａ）第１のコイル装置と、
（ｂ）前記第１のコイル装置に電気駆動信号を印加するように動作可能なコイルドライバと
を備える、請求項１６に記載の装置。
【請求項１９】
前記第２のコイルおよび前記第３のコイルがそれぞれ、
（ａ）約１．６〜２．０ミリメートルのコイル直径と、
（ｂ）円筒形のコイル支持体と、
（ｃ）約５０〜９００ｋＨｚのコイル周波数範囲と、
（ｄ）約５：１のコイル信号対雑音比と
を備える、請求項１６に記載の装置。
【請求項２０】
ガスタービンシステムの１つまたは複数のブレード内の腐食を検出する方法であって、
（ａ）ガスタービンブレードのフィレット区間の軸方向長さに沿って、表面幾何形状と一致するように検出することによって点食を検出するステップと、
（ｂ）前記腐食の検出中に、前記フィレットの領域内で第１の磁場を誘導するステップと、
（ｃ）前記誘導された第１の磁場にさらされた前記フィレットの前記領域から受け取られた第２の磁場に対応する信号を検出し、前記第２の磁場が、前記誘導された第１の磁場によって前記領域内に誘導された電流によって生成されるステップと、
（ｄ）前記検出信号の対応する振幅を前記領域内の点食の存在と相関させることによって前記検出信号を処理するステップと、
（ｅ）点食の検出を容易にするために、撮像装置を使用して前記ガスタービンブレードを撮像するステップと、
（ｆ）前記撮像されたガスタービンブレードをユーザに対して表示するステップと、
を含み、
前記ガスタービンシステムのケーシングを分解することなしに点食の存在が判定される、方法。
【請求項２１】
前記表面幾何形状と一致するように検出することが、前記フィレット区間に関連する曲率半径と実質的に同じまたはそれ未満である半径を含む円筒形の形状を有するプローブヘッドを使用することを含む、請求項２０に記載の方法。
【請求項２２】
ガスタービンシステムの１つまたは複数のブレード内の腐食を検出するためのプローブ装置であって、
（ａ）ガスタービンブレードのフィレット区間の表面幾何形状と一致する形状を有し、点食を検出するために前記フィレット区間に沿って移動するように動作可能な検出ヘッドと、
（ｂ）前記検出ヘッド内に位置し、前記検出ヘッドと接触する前記フィレットの領域内で第１の磁場を誘導するように動作可能な少なくとも１つのトランスデューサ装置と、
（ｃ）前記第１の磁場にさらされた前記フィレットの前記領域から受け取られた第２の磁場に対応する信号を検出するように動作可能な受信機装置であって、前記第２の磁場が、前記第１の磁場によって前記領域内に誘導された電流によって生成される、受信機装置と、
（ｄ）前記検出信号を処理して、前記検出信号の対応する振幅を前記領域内の点食の存在と相関させるように動作可能な信号処理装置とを備え、
前記ガスタービンシステムのケーシングを分解することなしに点食の存在が判定され、
前記少なくとも１つのコイル装置が、前記検出ヘッドと接触する前記フィレットの領域内で前記第１の磁場をそれぞれが誘導するように動作可能な、前記検出ヘッド内に位置する複数のコイル装置を備え、
前記検出信号が、前記第２の磁場に対応する複数の信号を含み、
前記信号処理装置が、前記複数の検出信号を処理して、前記検出信号の対応する振幅を前記領域内の点食の存在と相関させるように動作可能であり、
前記処理後の複数の検出信号のそれぞれが、前記複数のコイル装置の、それぞれの１つのコイル装置に関連付けられた信号チャネルに対応し、それにより点食の多チャネル検出を可能にする、
プローブ装置。
【請求項２３】
前記少なくとも１つのコイル装置が別個のコイルを備え、前記別個のコイルが、
（ａ）前記第１の磁場を生成するように動作可能な第１のコイルと、
（ｂ）第２の磁場を受け取るように動作可能な少なくとも１つの他のコイルと
を含む、請求項１に記載の装置。
【請求項２４】
複数のプローブ装置を備える点食検出ユニットであって、前記各プローブ装置が、
（ａ）ガスタービンブレードのフィレット区間の表面幾何形状と一致する形状を有し、点食を検出するために前記フィレット区間の軸方向長さに沿って移動するように動作可能な検出ヘッドと、
（ｂ）前記検出ヘッド内に位置し、前記検出ヘッドと接触する前記フィレットの領域内で第１の磁場を誘導するように動作可能な少なくとも１つのコイル装置と、
（ｃ）前記第１の磁場にさらされた前記フィレットの前記領域から受け取られた第２の磁場に対応する信号を検出するように動作可能な受信機装置であって、前記第２の磁場が、前記第１の磁場によって前記領域内に誘導された電流によって生成される、受信機装置と、
（ｄ）前記検出信号を処理して、前記検出信号の対応する振幅を前記領域内の点食の存在と相関させるように動作可能な信号処理装置とを含み、
前記ガスタービンシステムのケーシングを分解することなしに点食の存在が判定され、
前記複数のプローブ装置の各信号処理装置によって検出信号が処理された結果が、対応するチャネル上で出力され、
前記受信機が、
（イ）前記第２の磁場からそれぞれ第１の受信信号および第２の受信信号を生成するように動作可能な第１のコイル装置および第２のコイル装置と、
（ロ）それぞれ前記第１のコイル装置および前記第２のコイル装置に結合され、それぞれ前記第１の受信信号および前記第２の受信信号をろ波するように動作可能である第１のバンドパスフィルタ装置および第２のバンドパスフィルタ装置と、
（ハ）前記第１のバンドパスフィルタ装置および前記第２のバンドパスフィルタ装置に結合され、前記ろ波された第１の受信信号および前記ろ波された第２の受信信号を差動増幅し前記検出信号を生成するように動作可能である差動増幅器装置と
を備える、
点食検出ユニット。